(57)【要約】【課題】音質を良くし、使用感の良いスピーカ付き枕を提供する。【解決手段】中央付近に開口部（１２）を有する中間支持体（１０）と、中間支持体（１０）の上にその開口部（１２）を跨いで掛け渡された弾性を有する長板（１４）と、この長板（１４）の下面に前記中間支持体（１０）の開口部（１２）に臨むように取付けられたスピーカ（２０）と、長板（１４）の上面に重ねた上部クッション（３０）と、これらを包む袋（４４）と、を備える。中間支持体（１０）の下面に底板（３８）を重ね、この底板（３８）を含む全体を袋（４４）で包むようにするのが一層よい。中間支持体（１０）は環状のクッション（中間クッション）とするのがよい。スピーカ（２０）は長板（１４）に１個取付けたものでもよいが、左右に分けて２個取付け、立体感のあるステレオ音を発生させるのが望ましい。【選択図】　　　図１
2004057281.tif 000002
【特許請求の範囲】
【請求項１】
中央付近に開口部を有する中間支持体と、
中間支持体の上にその開口部を跨いで掛け渡された弾性を有する長板と、
この長板の下面に前記中間支持体の開口部に臨むように取付けられたスピーカと、
長板の上面に重ねた上部クッションと、
これらを包む袋と、
を備えることを特徴とするスピーカ付き枕。
【請求項２】
中間支持体の下面に底板が重ねられ、袋はこの底板も含めて全体を包んでいる請求項１のスピーカ付き枕。
【請求項３】
中間支持体は環状のクッションである請求項１または２のスピーカ付き枕。
【請求項４】
長板にはその長手方向に離して左右一対のスピーカが取付けられている請求項１または２または３のスピーカ付き枕。
【請求項５】
スピーカは振動板を内蔵したスピーカであって、少くとも上下が開いた略筒状の保護ケースに取付けられ、保護ケースの上端は長板に形成した貫通小孔に下から対向し、保護ケースの下端は中間支持体の開口部に進出している請求項１〜４のいずれかのスピーカ付き枕。
【請求項６】
スピーカは振動板を持たない振動スピーカである請求項１〜４のいずれかのスピーカ付き枕。
【請求項７】
上部クッションにはスピーカに対向する孔が形成されている請求項１〜６のいずれかのスピーカ付き枕。
【請求項８】
中間支持体と上部クッションとは、長板の隅を保持するように縫い合わされている請求項１〜７のいずれかのスピーカ付き枕。
【請求項９】
中間支持体と上部クッションとは両者の間に長板を挟んだ状態で紐で縛られている請求項１〜８のいずれかのスピーカ付き枕。
【請求項１０】
中央付近に開口部を有する環状の左右一対の中間支持体を備え、長板はこれら両中間支持体の開口部およびこれらの両中間支持体の間の空間を跨いで掛け渡されている請求項１〜９のいずれかのスピーカ付き枕。
【請求項１１】
左右一対の中間支持体は、長板の両端側で太く長板の中央側で細くなるように形成されている請求項１０のスピーカ付き枕。
【発明の詳細な説明】
【０００１】
【発明の属する技術分野】
この発明はスピーカを内蔵した枕に関するものである。
【０００２】
【従来の技術】
就寝時や横たわって休んだりする際に用いる枕に、スピーカを組込んだものが公知である。この枕によれば、枕の使用者の耳元にスピーカがあるために、スピーカの音量が僅かで済み、周囲に音が漏れて周囲の人に迷惑をかけるおそれがない、という効果が得られる。
【０００３】
【発明が解決しようとする課題】
ここに従来のものは、スピーカボックスにスピーカを組込み、このスピーカボックスを枕のクッション材の中に埋め込むものであった。スピーカボックスは音質をよくするためには十分な容積を持つことが必要である。このためスピーカボックスは通常大型になり、これを枕に埋め込むと、枕としてのクッション性が悪くなり、枕の上面がゴツゴツして使用感が悪くなるという問題があった。
【０００４】
この発明はこのような事情に鑑みなされたものであり、音質を良くし、使用感の良いスピーカ付き枕を提供することを目標とする。
【０００５】
【発明の構成】
本発明によればこの目的は、中央付近に開口部を有する中間支持体と、中間支持体の上にその開口部を跨いで掛け渡された弾性を有する長板と、この長板の下面に前記中間支持体の開口部に臨むように取付けられたスピーカと、長板の上面に重ねた上部クッションと、これらを包む袋と、を備えることを特徴とするスピーカ付き枕、により達成される。
【０００６】
長板は頭の重さによってその中央部分が下方へ湾曲しつつ頭を弾力的に支持する。また長板はスピーカの音の振動を頭に伝達し、音質を良くする。スピーカは中間支持体の開口部に臨むから、この開口部の空間を利用して音質を向上させることができる。
【０００７】
この枕は全体を袋で包み各部材の移動を規制しておくのが望ましい。中間支持体の下面に底板を重ね、この底板を含む全体を袋で包むようにするのが一層よい。
【０００８】
中間支持体は環状のクッション（中間クッション）とするのが望ましい。この場合、中間クッションは、布製の袋の中に綿やウレタンフォーム、などを充填して環状あるいはドーナッツ状にしたものや、空気や水を充填したものが好適である。中間クッションは枕の両端側で太径としたり硬くし、枕の中央側を細径としたり柔らかくなるようにしてもよい。この場合には頭を枕に載せた時に首が中間クッションの細径部分あるいは柔らかい部分に支持されることになり、首の安定性が一層向上し使用感が向上する。
【０００９】
スピーカは長板に１個取付けたものでもよいが、左右に分けて２個取付け、立体感のあるステレオ音を発生させるのが望ましい。スピーカは振動コーンなどの振動板を内蔵する通常の音響スピーカが好ましいが、振動板を持たないいわゆる振動スピーカであっても良い。前者の音響スピーカを用いる場合には、スピーカを両端が開いた筒状の保護ケース内に取付け、この保護ケース上端を長板に設けた貫通小孔に下から対向させ、保護ケースの下端を中間ケースの開口部に進出させる。スピーカはスピーカボックスに組込んだものであってもよい。
【００１０】
後者の振動スピーカを用いる時は、このスピーカの振動体が長板を直接振動させる。このためこの長板に載った頭の骨に音の振動を伝えて、いわゆる骨伝導により効率良く音を使用者の耳に伝えることができる。なお前記振動板付きの通常のスピーカを用いる場合も長板は振動するから、この骨伝導を作用して音質の向上が可能である。
【００１１】
上部クッションには、スピーカに対向する位置に上下に貫通する孔をあけておくのがよい。特に振動板付きのスピーカを用いる場合は、音振動が空気を介して耳の鼓膜に直接伝わるから、この孔を上部クッションに設けることにより音の伝達は一層良好になる。
【００１２】
長板を中間クッションと上部クッションとの間に保持するためには、中間クッションと上部クッションとの対向面を長板の四隅が係合するように縫い合わせておくのがよい。またこの状態で中間クッションと上部クッションとに紐を巻掛けてこれらを縛っておけば、一層よい。
【００１３】
中間支持体は１個であってもよいが、左右一対の環状の中間支持体を用いてもよい。この場合長板は両中間支持体の開口部と両中間支持体の間の空間とを跨いで掛け渡す。ここで用いる中間支持体は、長板の両端側で太径とし、長板の中央側で細径となるようにすれば、頭を載せた時に長板は円滑に湾曲できる。
【００１４】
【実施態様】
図１は本発明の一実施態様を示す断面図、図２は同じく頭を載せた使用状態を示す断面図、図３は同じく柔らかい長板を使った場合の使用状態を示す断面図、図４は内部の分解斜視図、図５はスピーカ取付部の断面図、図６は振動スピーカを用いた場合のスピーカ取付部の断面図、図７は電気コードの接続図、図８は配線回路図である。
【００１５】
図１〜４において符号１０は中間支持体としての中間クッションであり、図３に明らかなように長四角形の環状である。すなわち中間クッション１０はその中央に上下に貫通する開口部１２を有する。この中間クッションは長手方向両端の短辺部分が太径でかつ少し硬めであり、長手方向と平行な長辺部分がこれより少し細径でかつ少し柔らかく作られている。
【００１６】
中間クッション１０は表布の中に綿やウレタンフォームなどを充填したものが好適である。充填する材料は、プラスチック短パイプ、マルコビーンズ、そばがら、羽毛などであってもよい。中間クッション１０は空気や水などの流体を充填したものであってもよい。
【００１７】
綿やウレタンフォームなどを充填する表布は、環状に裁断した２枚（表と裏）の布地を重ね、外周および内周を縫合したものとすることができる。しかしこの場合には中に充填材を填めると内・外周縁にしわ（皺）が発生する。このしわの発生を防ぐためには、実用新案登録第３０４４１８８号に開示された環状クッションを用いることができる。このクッションは、上下一対の表布半体を、それぞれ截頭円錐面で形成し、両表布半体の長い周縁同志および短い周縁同志を縫合して、中に充填材を充填したものである。
【００１８】
１４は長板であり、ポリカーボネイトなどの適度に弾性を有する樹脂で作られる。この長板１４は中間クッション１０の長手方向に開口部１２を跨いで掛け渡すのに十分な長さを持つ。長板１４にはその中央付近に通気用小孔１６が複数設けられ、またその両側に所定距離離れて複数の貫通小孔１８が形成されている。小孔１８は音を通すためのものであり、音響用である。長板１４の下面には、これら貫通小孔１８に対向するように左右一対のスピーカ２０（２０Ｌ，２０Ｒ）が取付けられている。
【００１９】
スピーカ２０は図５に示すように、コーン（円錐）状の振動板である振動コーン２２を有する。すなわち略碗状のフレーム２４の周縁に振動コーン２２を弾性支持し、その中央をフレーム２４に設けた電磁コイル（図示せず）により駆動する公知の音響スピーカである。
【００２０】
スピーカ２０は筒状の保護ケース２６の中に入れられて、この保護ケース２６と共に長板１４に取付けられる。ここに保護ケース２６は樹脂などで作られ、その上縁フランジと長板１４との間にスピーカ２０のフレーム２４の外周縁を挟む。これらは、長板１４の上面からフレーム２４の外周縁を貫通して保護ケース２６のフランジに螺入されるビス２８により長板１４に固定される。
【００２１】
枕全体の横幅を約６３ｃｍ、縦巾を約４３ｃｍとした場合、この長板１４は例えば横幅約５０ｃｍ、縦巾約１３ｃｍとするのがよい。そして左右のスピーカ２０Ｌ、２０Ｒは、例えば約２０ｃｍ離して長板１４に固定するのがよい。
【００２２】
スピーカ２０は、振動コーン２２を持たない図６に示すような振動スピーカ２０Ａであってもよい。この振動スピーカ２０Ａはセラミック圧電素子や電磁コイルなどを内蔵しケース自身を震動させる。このケースを長板１４に固着することによって、長板１４自身を振動させるものである。従ってこの場合は長板１４の振動を使用者の頭の骨に伝える骨伝導による音伝達が主体となる。
【００２３】
スピーカ２０は、密閉式のスピーカボックスに組込んだものであってもよい。この場合はスピーカ２０の音を使用者の耳に直接導く直接音が主体となる。
【００２４】
３０は上部クッションである。この上部クッション３０は中間クッション１０とほぼ同じ外形形状をもち、適度の柔らかさを持つ。例えば柔らかい表布からなる袋の中に、充填材を入れたもので、座ぶとんとほぼ同様な構造のものが使用できる。この中には中間クッション１０と同様な充填材を入れてもよい。上部クッション３０は空気や水などを充填するものであってもよい。
【００２５】
この上部クッション３０は、長板１４の上に重ねて使用されるが、この状態でスピーカ２０（２０Ｌ，２０Ｒ）に対向する位置に孔３２，３２が形成される。また長板１４の通気用小孔１６に対向する位置には通気用小孔３４が形成されている。
【００２６】
この上部クッション３０は長板１４を組込む前に中間クッション１０に重ね、長板１４を入れた時にその四隅が係入するようにカギ形に縫い合わされている。図４で中間クッション１０に付した点線３６はこの縫い合わせた位置を示す。上部クッション３０は長板１４の上面に接着剤で固定してもよい。
【００２７】
３８は底板であり、中間クッション１０の下に敷いて枕全体の形状を保持する。この底板３８は或る程度硬い発泡スチロールなどで作られる。
【００２８】
次にこの枕を組立てる手順を説明する。まず中間クッション１０と上部クッション３０とを重ね、中間クッション１０の表布と上部クッション３０の裏布とを前記縫い目の点線３６位置で縫い合わせる。一方長板１４には、スピーカ２０を保護ケース２６と共に予め取付けておく。
【００２９】
この長板１４を湾曲させつつその左右両端を点線３６で示した縫い目に内側から係入させ、中間クッション１０と上部クッション３０と長板１４とを一体化する。この状態でさらに長板１４と上部クッション３０とを紐４０，４０で縛り、長板１４の移動を規制する。この紐４０，４０は、長板１４と中間クッション１０との間に通し、その両端を上部クッション３０の上方に回して結ぶものである。
【００３０】
なお上部クッション３０の周縁には、この紐４０，４０が係入する４つの凹部４２を形成し、紐４０，４０の位置ずれを防ぐのが望ましい。そして中間クッション１０の下に底板３８を重ね、全体を袋４４内に装填すればよい。この袋４４はその中の各部材の移動を規制してこれらの位置を安定させると共に、上部クッション３０の孔３２，３４を目隠しして枕の使用感を向上させる。
【００３１】
このように袋４４に入れた枕は、全体をさらに枕カバー（図示せず）に入れて使用すれば、袋４４が汚れるのを防ぐことができる。なお長板１４と中間クッション１０と上部クッション３０は適宜方法により結合してもよい。例えば長板１４の両端にゴムなどの弾性材で作ったクリップ部材を固定し、このクリップ部材で中間クッション１０や上部クッション３０の両端を挟持するようにしてもよい。
【００３２】
次にスピーカ２０の電気配線について図７、８を用いて説明する。なおこれらの図では、各スピーカ２０の配線を１本づつで示しているが、実際には正負２本づつあるのは勿論である。図７、８において５０はステレオ音源であり、例えば光ディスクを用いたＣＤプレーヤ、磁気テープを用いたカセットテーププレーヤなどである。音源５０から出力されるスピーカ駆動出力は、音量調節器５２、信号切換器５４を介して左右のスピーカ２０Ｌおよび２０Ｒに導かれる。
【００３３】
ここに音量調節器５２は、右および左のスピーカ駆動出力を制御する手動スライド抵抗器で形成される。信号切換器５４は、音信号を左右切換えるためのものである。例えば頭を上向きにして仰向けに寝る時には、頭の右側のスピーカ２０Ｒに右の音信号を入れ、逆に頭を下向きにしてうつ伏せに寝る時には、音信号を左右逆にして、常に正しい状態でステレオ音楽を楽しむことを可能にする。
【００３４】
この枕に頭を載せていない図１の状態では、長板１４はその弾性によりほぼ水平な平板状となっている。枕に頭６０を載せた図２の状態では、頭６０の重みにより長板１４はその中央付近が下方へ湾曲する。この時には中間クッション１０、上部クッション３０も変形する。
【００３５】
長板１４を柔らかいものにすれば、図３のように頭６０は図２の場合に比べて一層深く沈み込むことになる。この場合はスピーカ２０は一層耳６２に接近することになり、音響効果はさらに向上する。
【００３６】
スピーカ２０は保護ケース２６内にあるので、スピーカ２０が中間クッション１０に接触することはない。開口部１２は長板１４の通気用小孔１６、上部クッション３０の孔３４を通して外気に連通しているので、開口部１２内が汗により蒸れるのを防止できる。
【００３７】
この状態で音源５０の電源を投入しスピーカ２０に駆動信号を送れば、スピーカ２０の音は長板１４の貫通小孔１８、および上部クッション３０の孔３２を通り、使用者の耳６２，６２に直接届く。このような音をここでは直接音という。
【００３８】
この時スピーカ２０の後側は中間クッション１０の開口部１２に開放しているから、スピーカ２０は効率よく音を発生することができる。さらに左右のスピーカ２０Ｌ，２０Ｒの後に出た音は、開口部１２内で良好な音場に合成され得る。この音は中間クッション１０や上部クッション３０などを通って極めて柔らかい音質となって頭６０に導かれる。このような音は、ここでは間接音という。
【００３９】
またスピーカ２０の音発生に伴い長板１４も振動する。この振動は上部クッション３０を通して頭６０の骨に到達する。すなわち骨伝導により音振動が聴感器官に伝わる。このようにスピーカ２０の音は、小孔１８、孔３２を通る直接音と、中間クッション１０の開口部１２内で合成されクッション１０，３０の間から漏れ出る間接音と、骨伝導による音とが互いに重なって使用者に聞かれることになる。
【００４０】
従って極めて柔らかく気持ちの良い音となり、使用者の気持ちを落ち着かせ、安眠導入に適する音となる。また使用者をリラックスさせて疲労回復にも適する。さらにうつ伏せに寝て休んだりマッサージを受ける時には、切換スイッチ５４によりスピーカ２０の音を左右切換えればよく、常に良好なステレオ音響を楽しむことが可能になる。なお中間クッション１０は長板１４の長手方向に平行な長辺が細径なので、使用者の首に中間クッション１０が強く接触しない。このため枕の使用感が良い。
【００４１】
【他の実施態様】
図８は他の実施態様の分解斜視図である。この実施態様は中間支持体としての中間クッションを、左右一対の小型の中間支持体となる中間クッション１０Ａ，１０Ｂに分けたものである。
【００４２】
中間クッション１０Ａ，１０Ｂはそれぞれ開口部１２Ａ，１２Ｂを持ち、それぞれ一端が太径となり他端が僅かに細径となっている。これらの中間クッション１０Ａ，１０Ｂは、例えば上部クッション３０の下面に縫い付けられる。この時中間クッション１０Ａと上部クッション３０との間に長板１４を挟み込み、さらにこれらを紐４０，４０で縛る。そして底板３８を下から重ね、全体を枕カバー（図示せず）に装填すればよい。
【００４３】
この実施態様では、長板１４の下面に取付けたスピーカ２０を、左右の中間クッション１０Ａ，１０Ｂの開口部１２Ａ，１２Ｂに臨ませる。また各中間クッション１０Ａ，１０Ｂは、それらの太径部分を長板１４の両端側に位置させ、細径部分を長板１４の中央側に位置させる。長板１４はこれらの太径部に掛け渡す。
【００４４】
従って長板１４は所定量湾曲してから中間クッション１０Ａ，１０Ｂの細径部に接触することになり、枕の弾性を適切に設定するのに設計自由度が増える。
【００４５】
【発明の効果】
この発明は以上のように、中間支持体の上にその開口部を跨いで長板を掛け渡すと共に、この長板の下面にスピーカを取付けたものであるから、長板の弾性によって適度な硬さと良好な使用感を得ることができる。
【００４６】
スピーカは長板の下面に取付けるから、長板の上面は平坦であり、使用時には滑らかに湾曲するから、スピーカが枕の中でゴツゴツせず、使用感がよい。またスピーカの音は中間支持体の開口部に広がり使用者の耳に間接音として柔らかく響く一方、長板からの骨伝導によっても使用者の聴感器官に到達する。
【００４７】
ここに長板やその上に重ねた上部クッションにスピーカの音を枕の上方に伝える小孔や孔を設けておけば、直接音も耳に到達でき、一層多様な音質を楽しむことができる。
【図面の簡単な説明】
【図１】本発明の一実施態様の断面図
【図２】同じく使用状態を示す断面図
【図３】同じく使用状態を示す断面図
【図４】同じく内部構造を示す分解斜視図
【図５】スピーカ取付部の断面図
【図６】振動スピーカを用いた場合のスピーカ取付部の断面図
【図７】電気コード接続部
【図８】配線回路図
【図９】他の実施態様の内部構造を示す分解斜視図
【符号の説明】
１０、１０Ａ、１０Ｂ　中間クッション（中間支持体）
１２、１２Ａ、１２Ｂ　開口部
１４　長板
１６　通気用小孔
１８　音響用の貫通小孔
２０（２０Ｒ、２０Ｌ）　スピーカ
２０Ａ　振動スピーカ
２２　振動コーン（振動板）
２６　保護ケース
３０　上部クッション
３２、３４　孔
３６　縫い目位置
３８　底板
４０　紐
４４　袋
５０　音源
６０　頭
６２　耳
【図１】
2004057281.tif 000003
【図２】
2004057281.tif 000004
【図３】
2004057281.tif 000005
【図４】
2004057281.tif 000006
【図５】
2004057281.tif 000007
【図６】
2004057281.tif 000008
【図７】
2004057281.tif 000009
【図８】
2004057281.tif 000010
【図９】
2004057281.tif 000011